【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
円筒合金インゴットの円周面の少なくとも１つの領域上、及び前記合金インゴットの少なくとも１つの端部上に金属材料層を溶着物として堆積させることを含み、前記金属材料は、前記合金よりも延性がある、インゴット処理方法。
【請求項２】
前記金属層を堆積させる前に、前記合金インゴットの前記表面を研削すること、または剥離することをさらに含む、請求項１に記載のインゴット処理方法。
【請求項３】
前記合金インゴットを熱間加工することをさらに含み、前記熱間加工は、前記金属材料層上に力を印加することを含み、前記力は、前記合金インゴットを変形させる、請求項１に記載のインゴット処理方法。
【請求項４】
前記合金インゴットを熱間加工した後に、前記合金インゴットから前記金属材料層の少なくとも一部分を除去することをさらに含む、請求項３に記載のインゴット処理方法。
【請求項５】
前記合金インゴットは、円筒インゴットであり、
前記合金インゴットの円周面の少なくとも１つの領域上に溶着物として前記金属材料層を堆積させることは、
前記円筒インゴットを回転させることと、
少なくとも１つの静止溶接トーチを使用して、前記回転する円筒インゴットの円周面の第１の領域上に溶着物として前記金属材料を堆積させ、それによって、前記円筒インゴットの前記円周面上に前記金属材料の環状層を堆積させることと、
を含む、
、請求項１に記載のインゴット処理方法。
【請求項６】
前記合金インゴットは、ニッケル基超合金を含む、請求項１に記載のインゴット処理方法。
【請求項７】
前記合金インゴットおよび前記金属材料層は、同じ母材を含み、前記母材は、ニッケル、鉄、およびコバルトからなる群から選択される、請求項１に記載のインゴット処理方法。
【請求項８】
前記合金インゴットは、ニッケル基超合金を含み、前記金属材料層は、ニッケル基溶接合金を含む、請求項１に記載のインゴット処理方法。
【請求項９】
溶着物として前記金属材料層を堆積させることは、金属不活性ガス（ＭＩＧ）溶接、タングステン不活性ガス（ＴＩＧ）溶接、およびプラズマ溶接からなる群から選択される溶接作業を含む、請求項１に記載のインゴット処理方法。
【請求項１０】
前記合金インゴットの表面の少なくとも１つの領域上に溶着物として前記金属材料層を堆積させることは、前記合金インゴットの少なくとも１つの端部上に溶着物として前記金属材料を堆積させることを含む、請求項１に記載のインゴット処理方法。
【請求項１１】
前記回転する円筒インゴットが少なくとも１回転進んだ後に、前記金属材料の堆積させた環状層に隣接して、少なくとも１つの溶接トーチを再配置することと、
少なくとも１つの再配置した静止溶接トーチを使用して、前記回転する円筒インゴットの前記円周面の第２の領域上に溶着物として金属材料を堆積させることと、
をさらに含む、請求項５に記載のインゴット処理方法。
【請求項１２】
前記円筒インゴットの前記円周面が前記金属材料で実質的に覆われるまで、前記再配置ステップおよび前記堆積ステップを繰り返すことをさらに含む、請求項１１に記載のインゴット処理方法。
【請求項１３】
前記合金インゴットは、円筒インゴットであり、
前記合金インゴットの表面の少なくともある領域上に溶着物として前記金属材料層を堆積させることは、
前記円筒インゴットの円周面の第１の領域に沿って、前記インゴットの長軸に平行に少なくとも１つの溶接トーチを移動させる一方で、前記円筒インゴットを静止保持し、それによって、前記円筒インゴットの前記円周面の前記第１の領域上に溶着物として前記金属材料の層を堆積させることと、
少なくとも１つの溶接トーチから離れて前記円周面の前記第１の領域を移動させ、かつ少なくとも１つの溶接トーチに向かって前記円周面の第２の領域を移動させるように、前記円筒インゴットを再配置することと、
前記円筒インゴットの前記円周面の前記第２の領域に沿って、前記インゴットの前記長軸に平行に少なくとも１つの溶接トーチを移動させる一方で、前記円筒インゴットを静止保持し、それによって、前記円筒インゴットの前記円周面の前記第２の領域上に溶着物として前記金属材料の層を堆積させることと、
を含む、請求項１に記載のインゴット処理方法。
【請求項１４】
前記インゴットの前記円周面が前記金属材料で実質的に覆われるまで、前記再配置ステップおよび前記移動ステップを繰り返すことをさらに含む、請求項１３に記載のインゴット処理方法。
【請求項１５】
前記合金インゴットを熱間加工することは、鍛造作業および押し出し作業のうちの少なくとも１つを含む、請求項３に記載のインゴット処理方法。
【請求項１６】
前記合金インゴットを熱間加工することは、据え込みおよび引き抜き鍛造作業を含む、請求項３に記載のインゴット処理方法。
【請求項１７】
前記工程は、ニッケル基超合金インゴットから形成される鍛造ニッケル基超合金製品の収率を改善する、請求項３に記載のインゴット処理方法。
【請求項１８】
前記金属材料層は熱間加工中の前記合金インゴットの表面クラックの発生を低減し、そして前記工程は、鋳造したニッケル基超合金インゴットから、加工されたニッケル基超合金鋼片を作製する、請求項３に記載のインゴット処理方法。
【請求項１９】
真空誘導溶解−真空アーク再融解作業または真空誘導溶解−エレクトロスラグ精錬−真空アーク再融解作業を使用してニッケル基超合金インゴットを提供することをさらに含む、請求項３に記載のインゴット処理方法。
【請求項２０】
前記熱間加工されたインゴットから物品を製造することをさらに含み、前記物品は、ジェットエンジン構成要素および陸用タービン構成要素からなる群から選択される、請求項３に記載のインゴット処理方法。
【請求項２１】
請求項１に記載のインゴット処理方法によって処理されるインゴット。
【請求項２２】
円筒合金インゴットを変形させるために、力を前記合金インゴットに印加することを含む、合金インゴットを熱間加工するための方法であって、前記合金インゴットは、前記合金インゴットの円周面の少なくとも１つの領域上、及び前記合金インゴットの少なくとも１つの端部上に溶接により堆積される金属材料層を含み、前記金属材料は、前記合金よりも延性があり、前記力は、前記金属材料層上に印加される、方法。
【請求項２３】
前記合金インゴットを変形させた後に、前記合金インゴットから前記金属材料層の少なくとも一部分を除去することをさらに含む、請求項２２に記載の方法。
【請求項２４】
前記合金インゴットは、ニッケル基合金、鉄基合金、ニッケル−鉄基合金、コバルト基合金からなる群から選択される材料を含む、請求項２２に記載の方法。
【請求項２５】
前記合金インゴットは、ニッケル基超合金からなる群から選択される合金を含む、請求項２２に記載の方法。
【請求項２６】
前記合金インゴットおよび前記金属材料層は、同じ母材を含み、前記母材は、ニッケル、鉄、およびコバルトからなる群から選択される、請求項２２に記載の方法。
【請求項２７】
前記金属材料層は、円筒インゴットの円周面の少なくとも１つの領域上に溶着物を含む、請求項２２に記載の方法。
【請求項２８】
前記金属材料層は、インゴットの端面の少なくとも１つの領域上に溶着物を含む、請求項２２に記載の方法。
【請求項２９】
前記合金インゴットは、ニッケル基超合金を含み、前記金属材料層は、ニッケル基溶接合金を含む、請求項２２に記載の方法。
【請求項３０】
力を前記合金インゴットに印加することは、鍛造作業および押し出し作業のうちの少なくとも１つを含む、請求項２２に記載の方法。
【請求項３１】
前記力を前記合金インゴットに印加することは、据え込みおよび引き抜き鍛造作業を含む、請求項２２に記載の方法。
【請求項３２】
前記工程は、ニッケル基超合金インゴットから形成される鍛造ニッケル基超合金製品の収率を改善する、請求項２２に記載の方法。
【請求項３３】
前記工程は、加工されたニッケル基超合金インゴットから、鍛造したニッケル基超合金鋼片を作製する、請求項２２に記載の方法。
【請求項３４】
前記熱間加工されたインゴットから物品を製造することをさらに含み、前記物品は、ジェットエンジン構成要素および陸用タービン構成要素からなる群から選択される、請求項２２に記載の方法。
【請求項３５】
請求項２２に記載の方法によって合金インゴットから形成される熱間加工された物品。
【請求項３６】
インゴットの長軸の周りで円筒インゴットを回転させるように構成される、インゴット回転装置と、
円筒インゴットの円周面の少なくとも１つの領域上、及び前記合金インゴットの少なくとも１つの端部の表面領域上に溶着物として金属材料層を堆積させるように構成される、溶接装置と、
を備える、インゴット処理システム。
【請求項３７】
前記インゴット回転装置は、前記インゴットの前記長軸の周りで前記インゴットを回転させるように構成される、旋盤を備える、請求項３６に記載のインゴット処理システム。
【請求項３８】
前記溶接装置は、前記インゴットの前記円周面の少なくとも１つの領域上に溶着物として前記金属材料層を堆積させるように構成される、少なくとも１つのＭＩＧ溶接トーチを備える、請求項３６に記載のインゴット処理システム。
【請求項３９】
前記システムは、前記インゴットの前記長軸に平行な方向に、かつ前記インゴットの前記円周面のある領域に沿って、少なくとも１つの溶接トーチを移動させるように構成される、請求項３８に記載のインゴット処理システム。
【請求項４０】
前記システムは、前記合金インゴットの少なくとも１つの端部上に溶着物として前記金属材料を堆積させるために、少なくとも１つの溶接トーチを制御するように構成される、請求項３８に記載のインゴット処理システム。
【請求項４１】
前記システムは、
少なくとも１つの静止溶接トーチを使用して、回転する円筒インゴットの前記円周面の第１の領域上に溶着物として前記金属材料を堆積させ、それによって、前記円筒インゴットの前記円周面上に前記金属材料の環状層を堆積させ、
前記回転する円筒インゴットが少なくとも１回転進んだ後に、前記金属材料の堆積させた環状層に隣接して、少なくとも１つの溶接トーチを再配置し、
少なくとも１つの再配置した静止溶接トーチを使用して、前記回転する円筒インゴットの前記円周面の第２の領域上に溶着物として前記金属材料を堆積させ、それによって、前記円筒インゴットの前記円周面上に前記金属材料の環状層を堆積させ、かつ
前記円筒インゴットの前記円周面が前記金属材料で実質的に覆われるまで、前記再配置および前記堆積を繰り返すように構成される、
請求項３８に記載のインゴット処理システム。
【請求項４２】
前記システムは、
前記インゴットの前記長軸に平行に、かつ前記第１の領域に沿って移動するように構成される少なくとも１つの溶接トーチを使用して、静止インゴットの円周面の第１の領域上に溶着物として前記金属材料を堆積させ、それによって、前記円筒インゴットの前記円周面の前記第１の領域上に前記金属材料の層を堆積させ、
少なくとも１つの溶接トーチから離れて前記円周面の前記第１の領域を移動させ、かつ少なくとも１つの溶接トーチに向かって前記円周面の第２の領域を移動させるように、前記円筒インゴットを再配置し、
前記インゴットの前記長軸に平行に、かつ前記第２の領域に沿って移動するように構成される少なくとも１つの溶接トーチを使用して、前記静止インゴットの前記円周面の前記第２の領域上に溶着物として前記金属材料を堆積させ、それによって、前記円筒インゴットの前記円周面の前記第２の領域上に前記金属材料の層を堆積させ、かつ
前記インゴットの前記円周面が前記金属材料で実質的に覆われるまで、前記再配置および堆積を繰り返すように構成される、
請求項３８に記載のインゴット処理システム。